(57)【特許請求の範囲】
【請求項１】
切断方向に回転するカッタ軸３０に茎稈を所定の切断長さに切断する回転刃３２を複数備えてなる茎稈切断装置において、前記カッタ軸３０をカッタ機枠２の両側で回転可能に軸支する支持軸３０ａ、３０ｂと回転刃３２を備えたカッタ取付軸３５とに分割し、該カッタ取付軸３５と支持軸３０ａ、３０ｂとの間を軸接手５、５ａを介して連結し、該軸接手５、５ａの部分で前記カッタ取付軸３５をスライドさせて前記回転刃３２と、該回転刃３２に相対向する受部材４２との間隙を調整可能に構成し、
前記カッタ取付軸３５の中間部位にカッタ組付分解用のナット３７を螺合させるネジ部を加工し、前記軸接手５に形成した支持筒５７で前記ネジ部を覆い、更に前記支持筒５７の先端部をカッタ軸３０に嵌挿した回転刃３２の押さえストッパ３６の外周面に嵌合したことを特徴とする茎稈切断装置の軸支構造。
【請求項２】
前記軸接手５、５ａを、支持軸３０ａとカッタ取付軸３５の両端の接合部分を半割り状で片面づつ支持する部分を形成し、該支持軸３０ａでカッタ軸３０の端部を一時的に支持できるように構成したことを特徴とする請求項１に記載の茎稈切断装置の軸支構造。
【発明の詳細な説明】
【０００１】
【発明の属する技術分野】
本発明は、コンバインや刈取機等に設置する茎稈切断装置の軸支構造の改良に関する。
【０００２】
【従来の技術】
従来、コンバインの脱穀部に装着されるディスクカッタ方式の茎稈切断装置は、互いに内向きに回転する２本平行に配置したカッタ軸のうちの１本を、両側のカッタ機枠に軸受を介して回転可能に支持した支持軸と、これらの間に位置し、外周にノコ刃を形成した円盤状のカッタを所定の間隔で複数個配置したカッタ取付軸とに分割し、各軸の間を接手で一体的に連結している。そして前記カッタ軸に平行する他の１本のカッタ軸に、前記カッタと対向する位置に茎稈の受部材を所定の間隔をもって複数個設けている。
【０００３】
前記カッタ取付軸上にカッタとカラーを交互に嵌合配置し、このカッタ取付軸の切断荷重が少ない穂側の端部にネジ部を設け、これにナットを螺合締結して一体的に組上げた状態で、このカッタ取付軸の両端に接手を介して連結している支持軸との間を間隙を形成しない突合わせ状態で連結している。
【０００４】
従って、茎稈の切断を効率的に行うためには、カッタ取付軸に設けたカッタと他のカッタ軸に設けた受部材との間の微妙な間隙を調節することが必要であるが、これの手段として、支持軸を回転自在に支持する軸受と、カッタ機枠との間に複数枚のライナーを挟持させ、このライナーの厚さを調節することによって行なっていた。
【０００５】
【発明が解決しようとする課題】
前記従来の構成の茎稈切断装置は、カッタ取付軸上に所定間隔で設けたカッタと、他のカッタ軸上に所定間隔で設けた茎稈の受部材との間の微妙な間隙の調節にカッタ機枠に設けた軸受部分にライナーを介在させて行っていることから、その調整が煩雑であった。
【０００６】
また、茎太で稈剛性を有する株元側に位置するカッタが、穂側のものより摩損が大きく、従って穂側のカッタは残したまま株元側のカッタのみの交換を随時行う必要があるが、このようなカッタの交換の際や切断状態の調整の際にカッタと受部材との間隙の調整が必要であるが、従来の装置の構造ではこの調整が煩雑であった。
【０００７】
更に、従来の装置においてはカッタ取付軸とその両端の支持軸の全体を機枠から外してカッタを交換しなければならないことから、カッタの交換作業が大掛かりとならざるを得なかった。
【０００８】
【課題を解決するための手段】
本発明は前記従来技術の問題点を解決するためになされたものであって、切断方向に回転するカッタ軸３０に茎稈を所定の切断長さに切断する回転刃３２を複数備えてなる茎稈切断装置において、前記カッタ軸３０をカッタ機枠２の両側で回転可能に軸支する支持軸３０ａ、３０ｂと回転刃３２を備えたカッタ取付軸３５とに分割し、該カッタ取付軸３５と支持軸３０ａ、３０ｂとの間を軸接手５、５ａを介して連結し、該軸接手５、５ａの部分で前記カッタ取付軸３５をスライドさせて前記回転刃３２と、該回転刃３２に相対向する受部材４２との間隙を調整可能に構成し、前記カッタ取付軸３５の中間部位にカッタ組付分解用のナット３７を螺合させるネジ部を加工し、前記軸接手５に形成した支持筒５７で前記ネジ部を覆い、更に前記支持筒５７の先端部をカッタ軸３０に嵌挿した回転刃３２の押さえストッパ３６の外周面に嵌合したことを特徴としている。
【０００９】
また、前記軸接手５、５ａを、支持軸３０ａとカッタ取付軸３５の両端の接合部分を半割り状で片面づつ支持する部分を形成し、該支持軸３０ａでカッタ軸３０の端部を一時的に支持できるように構成したことを特徴としている。
【００１１】
【実施の形態】
以下図面を参照して本発明に係るカッタ軸に設けたカッタと、平行する他のカッタ軸に設けた受部材との間の間隙の調整が容易にできる茎稈切断装置の軸支構造の形態につき説明する。
【００１２】
図１及び図２において、１は図示しないコンバインに装着され、脱穀部から排出される穀稈を細断するディスクカッタ方式の茎稈切断装置を示している。
【００１３】
そして上下面を開口した箱型状のカッタ機枠２の内部において、両側壁２０，２０に一対の回転体３ａ，３を相対向させて内向き回転可能に、それぞれ軸受２１を介し２本の平行する横軸を支持し、両者の間に上方から投入される茎稈を稈身方向に沿って所定の切断長で細断し、下方から地上に向けて放出するように構成されている。
【００１４】
この図示例においては、図１及び図２に示す如く、茎稈排出方向上手側に設置した回転体３ａは掻込輪を兼ねた回転受部材とし、下手側の回転体３はカッタで構成し、脱穀部側から、回転体３のカッタ軸３０の一方の軸端に固定したプーリ３１に入力して駆動し、対向する回転体３ａのカッタ軸４の軸端に固定したギヤ４０をカウンタピニオンギヤ４１等を介して減速して駆動するように構成している。
【００１５】
上記回転体３ａは図２に示すように、円盤状の茎稈の掻込を兼ねる受部材４２と受板４３とを所定の「受体間隙」を持たせて対となし、これと切断長に形成された間隔保持用のカラー４５とを交互に複数個をカッタ軸４に嵌挿した状態で、カッタ軸４の端部のネジ部に取付ネジ４６を螺合して一体的に締着して組み上げている。
【００１６】
なお、上記回転体３ａは左方（穀稈の穂側）の軸受２１が、カッタ機枠２の側壁２０に開口したカッタ取出孔２１ａを着脱可能に覆うカバー２２に設けてあるので、このカバー２２を外すと回転体３ａ全体を左側の前記カッタ取出孔２１ａより機外に抜き取ることができ、この部分の部品交換や清掃等のメンテナンス作業を簡単に行うことができるようになっている。
【００１７】
回転体３は、カッタ軸３０の両端をカッタ機枠２の両側に軸受２１を介して軸支させた支持軸３０ａ，３０ｂと、円盤状のカッタ（回転刃）３２と前記回転体３ａ側のカラー４５と同じ長さのカラー３３を嵌挿したカッタ取付軸３５の３本を１軸的に連結した構造を有している。
【００１８】
そしてこのカッタ取付軸３５は、株元側と穂側の軸部を軸接手５、５ａからなる接手構造によって、着脱可能で、且つ平行する回転体３ａに対する適正な受体間隙（切断間隙）の位置決め調節を簡単にできるように構成している。
【００１９】
即ち、カッタ軸３０は、複数枚のカッタ３２とカラー３３を所定間隔をもって嵌挿した状態で、これらを左方に固着した円盤状のストッパ３６と右方に嵌挿した押えストッパ３６との間で、皿バネ座３６ａ、カラー３６ｂ、回り止座３６ｃを介してネジ加工部にナット３７を螺合して締着している。また、このナット３７が螺装されるネジ加工部を軸端側に位置させた状態で固定してネジ部を補強した構造となっている。
【００２０】
軸接手５、５ａは図４、図５に示すように、カッタ取付軸３５にに螺合させたナット３７の外方に延長させた連結軸部３５ａにスライド可能に嵌挿止着される可動接手５０と、支持軸３０ａにキー５１と取付ネジ５１ａで固定される固定接手５２からなり、両者のボス部５０ａから互いに突出させた軸受部５３と軸受片５５とによって、前記連結軸部３５ａの半円筒の面（図４では下側の面）と、この面の反対側の半円筒の面（上側の面）とを把持した状態において、図５に示す如く両者を取付ネジ５６で締結して連結軸部３５ａを芯ずれを生じさせることなく、安定よく挟持して固定することができるようにしている。
【００２１】
また、カッタ取付軸３５側に固定される可動接手５０は、図４に示すようにボス部５０ａの外周から、前記押えストッパ３６の外周にスライド可能に嵌合させ、これによって茎稈の巻付防止筒を兼ねた支持筒５７を一体的に形成している。そしてこの支持筒５７の端部と、相隣るカッタ３２の側面との間には回転体３の位置決め調整用の隙間Ｄ（受体間隙の調整用間隙）を設けている。
【００２２】
また、可動接手５０のボス部５０ａは、カッタ取付軸３５の端部の連結軸部３５ａに対してスライド可能に嵌挿した状態において、キー５７ａと固定ネジ５７ｂを介して軸方向に事由に位置決めして固定することができるようにしている。なお、前記連結軸部３５ａと支持軸３０ａとの間には上記間隙Ｄと同等又はそれ以上の間隙ｄを設けてカッタ軸３０をその軸方向にスライド可能に構成している。
【００２３】
一方、図３に示すカッタ取付軸３５の穂側を支持する支持軸３０ｂは、図４に示す株元側と同様な接手構造を有しているのでその説明は省くが、カッタ取付軸３５と支持軸３０ｂとの間には前記間隙ｄと同様な隙間ｅを有している。
【００２４】
以上のように構成した茎稈切断装置１は、図１の上方から横向き姿勢で供給される茎稈を２本の回転体３と３ａ間で複数対のカッタ３２と受部材４２によって稈身方向に所定の長さに切断する。
【００２５】
このときカッタ３２を介してカッタ取付軸３５の株元側（図４）には穂側（図３）よりも大きな負荷がかかるが、この部位のカッタ取付軸３５の連結軸部３５ａは、軸接手５の可動接手５０と固定接手５２とに形成した２分割状の軸受部５３と軸受片５５（図５）によって半円状に両面から挟持させているので、カッタ取付軸３５を支持軸３０ｂに対して剛性の高い状態で連結支持するすることができる。従って、茎稈の切断負荷による軸たわみ等を防止しながら茎稈の切断を安定して行うことができる。
【００２６】
図４に示すようにカッタ取付軸３５の中間部位に、株元側にカッタ組付分解用のナット３７を螺合させるネジ部を加工しているが、可動接手５０に形成した支持筒５７で前記ネジ部を覆い、更にこの支持筒５７の先端部を押さえストッパ３６の外周面に嵌合しているので、前記ネジ部を一つの室内に入れた状態となり、この部分の剛性が全体的に上がってで安定支持することができる。
【００２７】
また、固定接手５２と可動接手５０との間を連結している取付ネジ５６（図５）を外すと、側壁２０に支持されている支持軸３０ａよりカッタ取付軸３５を外すことができ、そして可動接手５０等を外した上で、株元側からカッタ３２を簡単に着脱することができる。また、この接手構成により図３に示す穂側のカッタ３２を残したまま、穂側より摩損頻度の大きい株元側のカッタ３２のみの交換やメンテナンスを簡単に行うことができる。
【００２８】
また、回転体３を取外したいときは、取付ネジ５６，５６ａ（図５，３）を緩めると、カッタ取付軸３５はその両端を支持軸３０ａ，３０ｂ側に軸受２１を介して支持されている軸受片５５の半円筒面に支持されて下落を防止されながら自由な状態となるので、回転体３の機外への取外し作業を楽な姿勢で能率よく行うことができる。
【００２９】
また、回転体３の組付けの際には、受部材４２と受板４３との間にカッタ３２を差込みながら、カッタ取付軸３５の両端を、カッタ機枠２の側壁２０に軸受２１を介して固定されている軸受片５５の半円筒面上に、一旦安定して支持した状態で、図３，４に示す間隙ｄ，ｅを利用してカッタ取付軸３５を左右に横移動させ、カッタ３２を前記受部材４２と受板４３との間に適正な受体間隙（切断隙間）を有するように位置決めした後、取付ネジ５６を締着することにより、回転体３を正確に位置決めして固定をすることができる。
【００３０】
なお、この際、図６に示すようにカッタ３２と可動接手５０の支持筒５７の端部との間にライナー９を厚さ調節可能に介装すると、可動接手５０及び固定ネジ５７ｂを介してカッタ３２を押圧して支持することができるとともに、このナット３７を支持筒５７で包囲した接合構造により、カッタ取付軸３５を補強した状態となるから、カッタ取付軸３５に対する負荷をより軽減することができる等の利点がある。
【００３１】
また、可動接手５０は図示例のものに限定することなく、カッタ取付軸３５を支持軸３０ａに対して横移動可能な嵌合接手手段によって行うように設計変更することも可能である。
【００３２】
【発明の効果】
以上の説明から明らかなように、本発明による茎稈切断装置の軸支構造は、請求項１の発明により、カッタ３２と受部材４２との隙間を調節するとき、カッタ取付軸３５を両側壁にそれぞれ支持されている支持軸３０ａ，３０ｂに支持させた状態で横移動させることにより、受部材に対する隙間調整を能率よく行うことができる。
【００３３】
また、請求項２の発明により、支持軸３０ａ，３０ｂとカッタを備えたカッタ取付軸３５を連結する軸接手５，５ａの部分で、前記カッタ取付軸３５をスライドさせることができるので、カッタ３２と、このカッタ３２に相対向する受部材４２との間隙を容易に調整することができる。
【００３４】
更に、請求項３の発明により、軸接手５，５ａを、支持軸３０ａとカッタ軸３０の両端の接合部分を半割り状で片面づつ支持するようにしたので、支持軸３０ａでカッタ軸３０の端部を一時的に支持してカッタの交換等の作業を効率的に行うことができる。
【図面の簡単な説明】
【図１】茎稈切断装置の側面図である。
【図２】図１の平断面図である。
【図３】カッタ取付軸の左方の軸支構造を示す断面図である。
【図４】カッタ取付軸の右方の軸支構造を示す断面図である。
【図５】図４の軸支構造の分解斜視図である。
【図６】図４の別の実施形態を示す断面図である。
【符号の説明】
１  茎稈切断装置                      ２  カッタ機枠
３，３ａ  回転体                      ４  カッタ軸
５，５ａ  軸接手                      ３０  カッタ軸
３０ａ，３０ｂ  支持軸                ３２  カッタ（回転刃）
３５  カッタ取付軸                    ３５ａ  連結軸部
４２  受部材                          ４３  受板
５０  可動接手                        ５２  固定接手
５３  軸受部                          ５５  軸受片
５６  取付ネジ                        ５７  支持筒
【図１】
0004220100.tif 000002
【図２】
0004220100.tif 000003
【図３】
0004220100.tif 000004
【図４】
0004220100.tif 000005
【図５】
0004220100.tif 000006
【図６】
0004220100.tif 000007